(57)【要約】  【課題】  記録した放送周波数を用いて放送番組が存在する放送周波数を取得し、周波数スキャン時にその放送をスキップして周波数スキャンの高速化を図る放送受信装置を提供する。  【解決手段】  放送信号を選択受信するチューナと、前記チューナで受信した信号を復調する復調部と、復調信号から放送情報を抽出する放送情報抽出部とを備え、聴取者により放送中の全放送番組周波数が取得できる放送受信装置において、復調信号から周波数情報を抽出する周波数情報抽出部と、抽出した周波数情報を記録する周波数情報記録部と、前記周波数情報記録部に記録した周波数情報に基づいて前記チューナの受信周波数信号を制御するチューナ制御部とを有し、聴取者による全放送番組周波数の取得指示があったとき、前記チューナ制御部は、放送中に含まれる周波数情報に基づいて、不必要な放送周波数をスキップしながら全放送番組周波数を自動的に取得するように前記チューナの受信周波数信号を制御する。  【選択図】  図１
2005303526.tif 000002
【特許請求の範囲】
【請求項１】
放送信号を選択受信するチューナと、前記チューナで受信した信号を復調する復調部と、復調信号から放送情報を抽出する放送情報抽出部とを備え、聴取者により放送中の全放送番組周波数が取得できる放送受信装置において、復調信号から周波数情報を抽出する周波数情報抽出部と、抽出した周波数情報を記録する周波数情報記録部と、前記周波数情報記録部に記録した周波数情報に基づいて前記チューナの受信周波数信号を制御するチューナ制御部とを有し、聴取者による全放送番組周波数の取得指示があったとき、前記チューナ制御部は、放送中に含まれる周波数情報に基づいて、不必要な放送周波数をスキップしながら全放送番組周波数を自動的に取得するように前記チューナの受信周波数信号を制御することを特徴とする放送受信装置。
【請求項２】
放送信号を選択受信する２つ以上のチューナと、前記２つ以上のチューナで受信した１つ以上の受信信号を復調する復調部と、１つ以上の受信信号の復調信号から放送情報を抽出する放送情報抽出部とを備え、聴取者により放送中の全放送番組周波数が取得できる放送受信装置において、１つ以上の受信信号の復調信号から周波数情報を抽出する周波数情報抽出部と、１つ以上の受信信号の復調信号から抽出した複数の周波数情報を記録する周波数情報記録部と、前記周波数情報記録部に記録した複数の周波数情報に基づいて前記２つ以上のチューナの受信周波数信号を制御するチューナ制御部とを有し、聴取者による全放送番組周波数の取得指示があったとき、前記チューナ制御部は、１つ以上のチューナの受信信号の復調信号から得られた複数の周波数情報に基づいて２つ以上のチューナの周波数スキャンを行う際に、不必要な放送周波数をスキップしながら全放送番組周波数を自動的に分配取得するように前記２つ以上のチューナの受信周波数信号を相互制御することを特徴とする放送受信装置。
【請求項３】
請求項１または請求項２の放送受信装置において、前記チューナ制御部は、周波数情報が存在する可能性のある放送周波数を優先的に周波数スキャンすることを特徴とする放送受信装置。
【請求項４】
請求項１または請求項２の放送受信装置において、周波数スキャンを行う必要がある全放送番組を記録する放送番組情報記録部を有し、全放送番組を取得した後、放送周波数の取得を行わずに全放送番組周波数を迅速に取得することを可能にしたことを特徴とする放送受信装置。
【請求項５】
請求項２または請求項３の放送受信装置において、２つ以上のチューナのいずれか一方に、全放送周波数中に存在する放送番組の有無をまず判断し、その判断の後に放送番組が存在する放送周波数をサーチする機能を持たせるとともに、２つ以上のチューナの他方に、周波数情報の存在する可能性のある放送周波数を優先的にサーチする機能を持たせ、２つ以上のチューナによる機能分担により、全放送番組周波数を効率的に取得することを可能にしたことを特徴とする放送受信装置。
【請求項６】
請求項２の放送受信装置において、２つ以上のチューナが復調可能な受信信号に対応して周波数スキャンの処理状態を異ならせ、受信信号の復調処理の重複を避けて、全放送番組周波数を効率的に取得することを可能にしたことを特徴とする放送受信装置。
【請求項７】
請求項３または請求項４の放送受信装置において、周波数情報が存在する可能性のある放送周波数や、周波数スキャンする必要のある放送番組を聴取者により入力指定する入力部を備え、チューナの周波数スキャンの実行を聴取者の意向に沿った形で行うことができること特徴とする放送受信装置。
【発明の詳細な説明】
【技術分野】
【０００１】
本発明は、放送中の全番組周波数を取得する際に、全番組周波数の取得機能を高めて取得時間を短縮させるようにした放送受信装置に関する。
【背景技術】
【０００２】
一般に、放送においては映像情報及び音声情報等からなる多くの放送番組が放送されており、それらの放送番組は番組別に予め決められた放送周波数を用いて放送され、放送受信装置において受信される。聴取者が希望する放送番組を聴取したい場合、放送受信装置をその放送番組周波数を受信するように選局設定すると、その選局によって放送受信装置においてその放送番組が受信され、その受信信号を復調することにより、その放送番組を視聴することが可能になる。
【０００３】
放送受信装置を用いてそれぞれの放送番組を受信し、受信信号を復調して当該放送番組を視聴するには、その放送番組に割り当てられた放送周波数を知ることが必要になる。この場合、それぞれの放送番組に割り当てられた放送周波数は、通常変わることがないため、放送受信装置にそれぞれの放送番組周波数を予め記憶格納しておけば、記憶格納した中の希望する放送番組周波数を指定すれば、希望する放送番組を直ちに視聴することができるものである。
【０００４】
しかしながら、新規に放送番組が開始され、放送受信装置に新規な放送番組周波数を記憶格納していない場合や、放送事業者の設備変更等の事情によってそれまでの放送番組周波数を変更したような場合や、放送受信装置の使用地域等を変更したことにより記憶格納した放送番組周波数の一部または全部が変更されたような場合などにおいては、既存の放送受信装置をそのまま用い、即座に希望する全放送番組を視聴することができない。
【０００５】
このような状態のとき、既存の放送受信装置に全放送番組周波数を記憶格納し直せば、希望する全放送番組を視聴することができるようになるが、聴取者が既存の放送受信装置に放送番組周波数を記憶格納し直すことは、極めて煩雑な作業工程の実行が強いられることになる。
【０００６】
それに加えて、近年になると、デジタル放送の普及によって放送周波数の有効利用範囲が拡大して多くの放送番組を視聴できるようになってきている。このため、放送受信装置に放送番組周波数を記憶格納する作業工程は、さらに煩雑化する傾向にある。
【０００７】
このような点に鑑みて、放送受信装置においては、自動的に放送番組周波数を取得する機能、すなわち周波数スキャンによる放送番組周波数の所得が行われている。この周波数スキャンは、放送中の全周波数について放送番組が存在するか否かを判断するもので、放送受信装置が放送番組が存在する放送周波数を自動的に記憶保存し、以後、放送受信装置によって希望する放送番組を選局する際に、記憶保存してある放送周波数を指定すれば、その放送周波数を選局することができるものである。放送受信装置において周波数スキャンを行う場合は、いちいち放送周波数を記憶保存させる場合に比べて操作処理時間が短縮されるが、全放送周波数にわたって放送番組の有無を判断しているため、やはり比較的長い処理時間が必要になる。
【０００８】
このような比較的長い処理時間をより短縮するために、放送受信装置は、次のような手段を講じたものがある。すなわち、放送受信装置は、取得したそれぞれの周波数に放送番組が存在するか否かを判断する場合、通常、取得周波数を復調して放送番組の有無を判断していたので、その復調に時間を要することになる。このため、放送受信装置は、取得周波数の復調を行う際に、全取得周波数のそれぞれについて復調せずに、放送番組が存在する取得周波数だけを選択的に復調し、周波数スキャンの所要時間を全体的に短縮する手段である。
【０００９】
このような手段を備えた放送受信装置としては、特開平１１−２３４０９２号に開示の放送受信装置のように、放送番組の存在の有無の判断を取得周波数の復調前に行っているもの、特開２００１−２３０６８９号に開示の放送受信装置のように、放送番組の存在の有無の判断を電源投入時に行っているもの、特開２００３−１０１３８８号に開示の放送受信装置のように、２つのチューナを使用し、取得周波数の復調を行なっていないチューナを用いて放送番組の存在の有無を判断しているもの等がある。
【００１０】
ここで、図２１は、前記特開平１１−２３４０９２号に開示の放送受信装置であって、その要部構成を示すブロック図である。
【００１１】
図２１に示されるように、この放送受信装置は、チューナ２１０と、放送番組有無判断部２１１と、放送番組復調部２１２と、放送番組情報抽出部２１３と、チューナ制御部２１４と、放送周波数情報記録部２１５と、放送番組情報記録部２１６とを備えている。
【００１２】
そして、チューナ２１０は、チューナ制御部２１４の制御によって受信周波数を取得し、放送番組有無判断部２１２は、取得周波数中に存在する放送番組の有無を判断し、その判断結果をチューナ制御部２１４に供給する。放送番組復調部２１２は、取得周波数を復調し、復調信号を放送番組情報抽出部２１３とチューナ制御部２１４に供給する。チューナ制御部２１４は、それぞれの取得周波数中の放送番組の有無の情報を放送周波数情報記録部２１５に記録し、放送番組有無判断部２１１、放送番組復調部２１２、放送番組情報抽出部２１３から供給された各種情報に基づいて次に周波数スキャンするチューナ２１０の選局周波数を決定する。
【００１３】
また、図２２は、図２１に図示の放送受信装置において周波数スキャンを行う際の動作経緯を示すフローチャートである。
【００１４】
始めに、ステップＳ２２１において、チューナ制御部２１４は、周波数スキャン開始の指示を受けると、スキャン周波数Ｓｆをスキャン開始周波数に設定する。
【００１５】
次に、ステップＳ２２２において、放送番組有無判断部２１１は、スキャン周波数Ｓｆ内の放送番組の存在状況を判断する。そして、放送番組が存在すると判断した（Ｙ）ときは次のステップＳ２２３に移行し、一方、放送番組が存在しないと判断した（Ｎ）ときは他のステップＳ２２５に移行する。
【００１６】
次いで、ステップＳ２２３において、チューナ制御部２１４は、放送番組が存在しているので、その放送番組が存在する放送周波数情報を放送周波数情報記録部２１５に記録する。
【００１７】
続いて、ステップＳ２２４において、チューナ制御部２１４は、放送中の全放送周波数について放送番組の存在の可否の判断が終了したか否かを判断する。そして、全放送周波数について放送番組の存在の可否の判断が未だ終了していないと判断した（Ｎ）ときは次のステップＳ２２５に移行し、一方、放送番組の存在の可否の判断が既に終了していると判断した（Ｙ）ときは他のステップＳ２２６に移行する。
【００１８】
続く、ステップＳ２２５において、チューナ制御部２１４は、スキャン周波数Ｓｆを次のスキャン周波数Ｓｆに設定する。そして、このステップＳ２２５の処理が終了すると、前のステップＳ２２２に戻り、再びステップＳ２２２以降の処理が行われる。
【００１９】
また、ステップＳ２２６において、チューナ制御部２１４は、放送周波数情報記録部２１５に記録してある放送周波数中の最低周波数、すなわち放送番組の存在する放送周波数中の最低周波数を新たなスキャン周波数Ｓｆに設定する。
【００２０】
次に、ステップＳ２２７において、放送番組復調部２１２は、新たなスキャン周波数Ｓｆの受信によって取得した周波数を復調する。そして、この周波数を復調するときに放送番組を復調できたと判断した（Ｙ）ときは次のステップＳ２２８に移行し、一方、放送番組を復調できなかったと判断した（Ｎ）ときは他のステップＳ２２９に移行する。
【００２１】
次いで、ステップＳ２２８において、チューナ制御部２１４は、復調した放送番組の放送周波数情報を放送周波数情報記録部２１５に記録する。
【００２２】
続いて、ステップＳ２２９において、チューナ制御部２１４は、放送番組が存在する全ての放送周波数について放送番組の復調が終了したか否かを判断する。そして、放送番組が存在する全ての放送周波数について未だ放送番組の復調が終了していない（Ｎ）と判断したときは次のステップＳ３３０に移行し、一方、放送番組が存在する全ての放送周波数について既に放送番組の復調が終了していると判断した（Ｙ）ときはこのフローチャートにおける一連の処理を終了させる。
【００２３】
続く、ステップＳ３３０において、チューナ制御部２１４は、放送周波数情報記録部２１５に記録してある放送周波数中の次に低い放送周波数を新たなスキャン周波数Ｓｆに設定する。そして、このステップＳ３３０の処理が終了すると、前のステップＳ２２７に戻り、再びステップＳ２２７以降の処理が行われる。
【００２４】
このような処理を行うことにより、この放送受信装置は、放送番組が存在する放送周波数だけを選択的に復調するようにしたことにより、選択的な復調を行っていない放送受信装置に比べて高速度で周波数スキャンすることが可能になる。
【特許文献１】特開平１１−２３４０９２
【特許文献２】特開２００１−２３０６８９
【特許文献３】特開２００３−１０１３８８
【発明の開示】
【発明が解決しようとする課題】
【００２５】
前記各特許文献１乃至３に開示された放送受信装置においては、それぞれの放送周波数毎に放送番組の存在の有無を判断し、その判断により放送番組が存在する放送周波数だけを選択して復調することにより、復調処理回数を減らし、その分、周波数スキャンを高速度で行うことが可能になるものである。しかしながら、かかる放送受信装置は、放送中の全放送周波数について放送番組の存在の有無を判断しているため、その判断時の処理にやはり多くの時間を要するため、より高速度の周波数スキャンを行うことが要望されている。
【００２６】
本発明は、このような技術的背景に鑑みてなされたもので、その１つの目的は、記録した放送周波数を用いて放送番組が存在する放送周波数を取得し、周波数スキャン時にその放送をスキップして周波数スキャンの高速化を図るようにした放送受信装置を提供することにある。
【００２７】
また、本発明の他の目的は、複数のチューナを用い、これら複数のチューナの周波数スキャンをする際に、複数のチューナから取得した放送周波数情報を共有させて周波数スキャンの高速化を図るようにした放送受信装置を提供することにある。
【課題を解決するための手段】
【００２８】
前記１つの目的を達成するために、本発明による放送受信装置は、放送信号を選択受信するチューナと、チューナで受信した信号を復調する復調部と、復調信号から放送情報を抽出する放送情報抽出部とを備え、聴取者により放送中の全放送番組周波数が取得できるものであって、復調信号から周波数情報を抽出する周波数情報抽出部と、抽出した周波数情報を記録する周波数情報記録部と、周波数情報記録部に記録した周波数情報に基づいてチューナの受信周波数信号を制御するチューナ制御部とを有し、聴取者による全放送番組周波数の取得指示があったとき、チューナ制御部は、放送中に含まれる周波数情報に基づいて、不必要な放送周波数をスキップしながら全放送番組周波数を自動的に取得するようにチューナの受信周波数信号を制御する第１の手段を具備する。
【００２９】
また、前記他の目的を達成するために、本発明による放送受信装置は、放送信号を選択受信する２つ以上のチューナと、２つ以上のチューナで受信した１つ以上の受信信号を復調する復調部と、１つ以上の受信信号の復調信号から放送情報を抽出する放送情報抽出部とを備え、聴取者により放送中の全放送番組周波数が取得できるものであって、１つ以上の受信信号の復調信号から周波数情報を抽出する周波数情報抽出部と、１つ以上の受信信号の復調信号から抽出した複数の周波数情報を記録する周波数情報記録部と、周波数情報記録部に記録した複数の周波数情報に基づいて２つ以上のチューナの受信周波数信号を制御するチューナ制御部とを有し、聴取者による全放送番組周波数の取得指示があったとき、チューナ制御部は、１つ以上のチューナの受信信号の復調信号から得られた複数の周波数情報に基づいて２つ以上のチューナの周波数スキャンを行う際に、不必要な放送周波数をスキップしながら全放送番組周波数を自動的に分配取得するように前記２つ以上のチューナの受信周波数信号を相互制御する第２の手段を具備する。
【００３０】
この場合、前記第１及び第２の手段においては、チューナ制御部が、周波数情報が存在する可能性のある放送周波数を優先的に周波数スキャンする第３の手段を具備する。
【００３１】
また、前記第１及び第２の手段においては、周波数スキャンを行う必要がある全放送番組を記録する放送番組情報記録部を有し、全放送番組を取得した後、放送周波数の取得を行わずに全放送番組周波数を迅速に取得することを可能にした第４の手段を具備する。
【００３２】
さらに、前記第２及び第３の手段においては、２つ以上のチューナのいずれか一方に、全放送周波数中に存在する放送番組の有無をまず判断し、その判断の後に放送番組が存在する放送周波数をサーチする機能を持たせるとともに、２つ以上のチューナの他方に、周波数情報の存在する可能性のある放送周波数を優先的にサーチする機能を持たせ、２つ以上のチューナによる機能分担により、全放送番組周波数を効率的に取得することを可能にした第５の手段を具備する。
【００３３】
また、前記第２の手段においては、２つ以上のチューナが復調可能な受信信号に対応して周波数スキャンの処理状態を異ならせ、受信信号の復調処理の重複を避けて、全放送番組周波数を効率的に取得することを可能にした第６の手段を具備する。
【００３４】
さらに、前記第３及び第４の手段においては、周波数情報が存在する可能性のある放送周波数や、周波数スキャンする必要のある放送番組を聴取者により入力指定する入力部を備え、チューナの周波数スキャンの実行を聴取者の意向に沿った形で行うことができる第７の手段を具備する。
【発明の効果】
【００３５】
請求項１に記載の発明によれば、チューナの受信周波数を周波数スキャンする際に、放送中の放送信号中に含まれる周波数情報に基づいて不必要な周波数をスキップしてスキャンすることにより、不要な処理を行わずに、周波数スキャンを高速化することが可能になる。
【００３６】
請求項２に記載の発明によれば、複数のチューナの受信周波数を周波数スキャンする際に、複数のチューナ受信信号の復調信号から取得した周波数情報を複数のチューナで共有させて用い、複数のチューナのそれぞれで不必要な周波数をスキップしてスキャンすることにより、不要な処理を行わずに、周波数スキャンを高速化することが可能である。
【００３７】
請求項３に記載の発明によれば、周波数情報が存在する放送周波数を優先的にスキャンすることにより、高効率で周波数情報を取得することができ、その結果、周波数スキャンを高速化することが可能である。
【００３８】
請求項４に記載の発明によれば、スキャンが必要な番組を把握することにより、全番組把握時点におけるスキャンを行う必要がないので、スキャンを早期に終了させることが可能である。
【００３９】
請求項５に記載の発明によれば、複数のチューナの優先する機能を分担することによって、効率的にスキャンを実行することが可能となり、スキャンを高速化することが可能である。
【００４０】
請求項６に記載の発明によれば、チューナの復調できる信号によりスキャンの処理を変更することによって、同じ復調処理の重複を避けることが可能となり、スキャンを高速化することが可能である。
【００４１】
請求項７に記載の発明によれば、周波数情報を有する周波数や、スキャンが必要な番組を使用者が入力することにより、使用者の意図に従ったスキャンが可能となり、スキャンを高速化することが可能である。
【発明を実施するための最良の形態】
【００４２】
以下、本発明による実施の形態を図面を参照して説明する。
【００４３】
図１は、本発明の第１の実施の形態に係わる放送受信装置であって、その要部構成を示すブロック図である。
【００４４】
図１に示されるように、この放送受信装置は、チューナ１と、放送番組有無判断部２と、放送番組復調部３と、放送周波数情報抽出部４と、放送番組情報抽出部５と、チューナ制御部６と、放送周波数情報記録部７と、放送番組情報記録部８と、入力部９とを備えている。
【００４５】
そして、チューナ１は、チューナ制御部６の制御によって受信すべき周波数が取得され、取得周波数を放送番組有無判断部２を通して放送番組復調部３に供給する。放送番組有無判断部２は、取得周波数中に存在する放送番組の有無を判断し、その判断結果をチューナ制御部６に供給する。放送番組復調部３は、取得周波数を復調し、復調結果を放送周波数抽出部４と放送番組抽出部５とチューナ制御部６にそれぞれ供給する。
【００４６】
放送周波数情報抽出部４は、放送番組復調部３から出力された復調信号に含まれる放送周波数情報記述データを抽出し、抽出した記述データを放送周波数情報記録部７及び放送番組情報記録部８にそれぞれ記録する。この場合、放送周波数情報記述データは、デジタル放送の運用仕様に示されているＮＩＴ（Network Information Table）等のデータからなるものである。なお、このＮＩＴの詳細については後述する。また、放送周波数情報抽出部４における周波数情報記述データの抽出の成功失敗の情報は、チューナ制御部６に送られる。また、放送番組情報抽出部５は、ＮＩＴと同じように放送番組情報（放送名や放送の編成等）記述データを抽出し、その抽出データを放送番組情報記録部８に記録する。この場合も、放送番組情報抽出部５における放送情報記述データの抽出の成功失敗の情報は、チューナ制御部６に送られる。
【００４７】
放送周波数情報記録部７においては、放送周波数情報抽出部４による周波数情報及び入力部９による操作情報により周波数スキャンを行った際の各選局周波数の選択状況が記録されている。なお、この点の詳細については後述する。また、放送番組情報記録部８は、放送周波数情報抽出部４や放送番組情報抽出部５における放送情報や入力部９によって指定された現在の放送情報が記録されている。なお、この点の詳細についても後述する。
【００４８】
チューナ制御部６は、放送番組有無判断部２、放送番組復調部３、放送周波数情報抽出部４、放送番組情報抽出部５におけるそれぞれの動作についての成功失敗の情報や、放送周波数情報記録部７及び放送番組情報記録部８の記録情報の内容を反映するようにチューナ１の選局状態を決定し、その選局状態にするための命令をチューナ１に送る。なお、この動作の詳細についても後述する。
【００４９】
入力部９は、キー操作部等の手動操作部からなるもので、その操作部を操作することにより放送周波数情報記録部７や放送番組情報記録部８の記録内容を適宜変更することができるものであり、これにより聴取者（ユーザー）の希望に沿った周波数スキャンを行うことが可能となる。
【００５０】
次に、図２は、放送中の放送周波数情報記述データの例として、デジタル放送の規格として定められているＮＩＴの一部を抜粋したものである。
【００５１】
ここでいうＮＩＴは、放送中の放送周波数内に含まれているデータであって、そのデータ内容は、テーブル識別におけるＮＩＴ値の記録部分２１、それに続くネットワーク識別におけるＮＩＴ値の記録部分２２、それに続くトランスポートストリームループ長部分２３、それに続く複数のトランスポートストリーム識別におけるＮＩＴ値の記録部分２４Ａ乃至２４Ｃ及び複数のケーブル分配システム記述子におけるＮＩＴ値の記録部分２５Ａ乃至２５Ｃ、最後の終端エラーチェック部分２６からなっている。
【００５２】
テーブル識別におけるＮＩＴ値の記録部分２１は、この部分からＮＩＴデータが開始することを表すとともに、そのＮＩＴ値を参照することにより、ＮＩＴ情報が当該周波数の放送に関する詳細周波数情報｛これをＮＩＴ（ａｃｔｕａｌ）といい、以下、ＮＩＴａと記述する｝であるか、他の周波数の放送に関する詳細周波数情報｛これをＮＩＴ（ｏｔｈｅｒ）といい、以下、ＮＩＴｏと記述する｝であるかを判断できるものである。ネットワーク識別におけるＮＩＴ値の記録部分２２はこのＮＩＴがどの放送ネットワーク種類の情報であるかを表している。
【００５３】
トランスポートストリームループ長部分２３は、それ以下に連なるトランスポートストリーム情報が幾つあるかを示している。この場合のトランスポートストリームとは、放送により伝送される一団となったデジタル化データである。トランスポートストリーム識別におけるＮＩＴ値の記録部分２４Ａ乃至２４Ｃは、放送ネットワーク毎に固有に割り当てられているトランスポートストリームの固有番号であり、ケーブルシステム分配記述子におけるＮＩＴ値の記録部分２５Ａ乃至２５Ｃは、そのトランスポートストリームを放送している放送周波数が記録されている。
【００５４】
一つの放送ネットワークは、１つ以上のトランスポートストリームから構成され、ＮＩＴａには、その放送ネットワークが用いているトランスポートストリームに関する情報が記録されている。ＮＩＴｏには、その放送ネットワークのＮＩＴａが存在するトランスポートに関する情報が記録されている。
【００５５】
また、図３は、図１に図示された放送受信装置における放送周波数情報記録部７の記録内容の一例を示す説明図である。
【００５６】
図３に示されるように、放送周波数情報記録部７の記録内容は、周波数とスキャン状況の項目とからなっている。この場合、周波数はスキャンされる選局周波数を示し、チューナ１は、このような選局周波数になるようにチューナ制御部６によって制御される。スキャン状況は、それぞれの周波数に対応して記録されるもので、現在のスキャン状況を表しており、未、済、不要、詳細の４つの状況の中の１つが記録される。ここで、未は、未だ周波数スキャンが行われていないが、周波数スキャンを必要がある場合、済は、既に周波数スキャンが行われ、その処理が終了した場合、不要は、未だ周波数スキャンが行われておらず、しかも、周波数スキャンを行う必要がない場合をそれぞれ示し、詳細は、ＮＩＴｏによって記述された周波数で、そこにＮＩＴａが存在していることを示すものである。そして、スキャン状況の表示内容としては、前述のように、未、済、不要、詳細の４つに限られるものではなく、スキャン状況を示すものであれば、それ以外の表現形式であってもよい。なお、放送周波数情報記録部７の記録内容を用いた処理については、その詳細について後述する。
【００５７】
続いて、図４は、図１に図示された放送受信装置における放送番組情報記録部８の記録内容の一例を示す説明図である。
【００５８】
図４に示されるように、放送番組情報記録部８の記録内容は、ネットワーク種類と存在と周波数とからなっている。この場合、ネットワーク種類はＢＳデジタル、ＣＳデジタル等の放送種類を示すもので、存在はネットワーク種類に対応して記録されるもので、ネットワーク情報を表してており、有、未、無の中の１つが記録される。ここで、有は、そのネットワーク情報を確認済である場合、未は、そのネットワーク情報を未だ確認していないが、確認中である場合、無は、そのネットワーク情報が存在しないことを確認済みの場合をそれぞれ示している。そして、存在の表示内容としては、前述のように、有、未、無の３つに限られるものではなく、ネットワーク情報を示すものであれば、それ以外の表現形式であってもよい。また、周波数はNITに記録された各トランスポートストリームの周波数に関する情報を記録しているもので、１つの放送ネットワークには１つ以上のトランスポートストリームが存在可能であるため、本例においては、１１７ＭＨｚ、１３５ＭＨｚ、１４１ＭＨｚの３つの周波数にＢＳデジタルのトランスポートストリームが存在していることを表している。また、ＣＳデジタルは、未だネットワーク情報を確認していないので、周波数に関する情報が存在せず、地上デジタルは、未だ存在しないことを確認しているので、同じく周波数に関する情報が存在しない。
【００５９】
次に、図５は、図１に図示された放送受信装置において周波数スキャンが行われる際の動作経緯を示すフローチャートである。
【００６０】
図５に図示のフローチャートを参照し、この放送受信装置で周波数スキャンが行われる際の動作について説明する。
【００６１】
始めに、ステップＳ１において、チューナ制御部６は、入力部９から周波数スキャンを開始する旨の指示があったとき、放送周波数情報記録部７に記録されている周波数情報及び放送番組情報記録部８に記録されている各周波数のスキャン状況をそれぞれクリアする。このクリアの意味は、放送周波数情報記録部７においては、周波数指定が行われない限り、全ての周波数のスキャン状況を未にし、ある一定範囲の周波数のスキャンが必要ない場合、それに該当する周波数のスキャン状況を不要にし、ある放送ネットワークにおいてＮＩＴａが存在する周波数が既知である場合、それに該当する周波数のスキャン状況を詳細に設定する。また、放送番組情報記録部８においては、ある放送ネットワークに関して何等の指定が行われない場合、その放送ネットワークの存在を全て未にし、放送ネットワークが存在しないか使用されない放送ネットワークであることが既知である場合、該当する放送ネットワークの存在を無にする。
【００６２】
次に、ステップＳ２において、チューナ制御部６は、次スキャン周波数決定ルーチンを実行し、チューナ１の次のスキャン周波数Ｓｆを決定する。なお、この次スキャン周波数決定ルーチンの詳細については後述する。
【００６３】
次いで、ステップＳ３において、チューナ制御部６は、決定された次のスキャン周波数Ｓｆがスキャン終了周波数を超えているか否かを判断する。そして、スキャン周波数Ｓｆがスキャン終了周波数を超えていないと判断した（Ｎ）ときは次のステップＳ４に移行し、一方、スキャン周波数Ｓｆがスキャン終了周波数を超えていると判断した（Ｙ）ときはこの一連の処理を終了させる。
【００６４】
続いて、ステップＳ４において、チューナ制御部６は、スキャン周波数Ｓｆに放送番組が存在するか否かを判断する。そして、放送番組が存在すると判断した（Ｙ）ときは次のステップＳ５に移行し、放送番組が存在しないと判断した（Ｎ）ときは他のステップＳ８に移行する。
【００６５】
続く、ステップＳ５において、チューナ制御部６は、受信した周波数Ｓｆに存在する放送番組を放送番組復調部３で復調できたか否かを判断する。そして、周波数Ｓｆに存在する放送番組を復調できたと判断した（Ｙ）ときは次のステップＳ６に移行し、一方、周波数Ｓｆに存在する放送番組を復調できなかったと判断した（Ｎ）ときは他のステップＳ８に移行する。
【００６６】
次に、ステップＳ６において、放送周波数情報抽出部４及び放送番組情報抽出部５は、受信した周波数Ｓｆに含まれている詳細周波数情報（ＮＩＴａ）や放送番組情報を抽出し、それらを放送番組情報記録部８に記録する。このとき、該当する放送ネットワークの存在が未であれば、その存在を有に変更し、該当する放送ネットワークの存在が有であれば、今回取得した詳細周波数情報によってり更新する。なお、放送番組情報記録部８への記録手段としては、前述のような手段だけでなく、今回取得した詳細周波数情報と既に取得しいる詳細周波数情報との間に優先度を設け、その優先度に従って記録内容を更新する等の記録手段を用いてもよい。
【００６７】
次いで、ステップＳ７において、チューナ制御部６は、放送番組情報記録部８に全ての詳細周波数情報や放送番組情報を記録したか否かを判断する。そして、全ての詳細周波数情報や放送番組情報を未だ記録していないと判断した（Ｎ）ときは次のステップＳ８に移行し、一方、全ての詳細周波数情報や放送番組情報を既に記録していると判断した（Ｙ）ときはこの一連の処理を終了させる。この場合の判断として、放送番組情報が存在するか否かは、放送番組情報記録部８の放送ネットワークにおける存在の項目によって確認する。すなわち、存在が未であれば、未だスキャンしていない放送ネットワークが存在する可能性があるので、この場合全ての放送番組情報を記録していないと判断する。
【００６８】
続く、ステップＳ８において、放送周波数情報抽出部４は、放送周波数情報記録部記録ルーチンを実行し、放送周波数情報記録部７に周波数スキャンの結果を記録する。放送周波数情報記録部記録ルーチンの実行が終了すると、ステップＳ２に戻り、再びステップＳ２以降の動作が繰り返し実行される。なお、放送周波数情報記録部記録ルーチンの詳細については後述する。
【００６９】
次に、図６は、図５に図示した放送周波数記録部記録ルーチンが実行される際の動作経緯を示すフローチャートである。
【００７０】
図６に図示のフローチャートを参照し、放送周波数記録部記録ルーチンが実行される際の動作について説明する。
【００７１】
始めに、ステップＳ１１において、チューナ制御部６は、今回取得した受信周波数に存在する放送番組を放送番組復調部３が復調できたか否かを判断する。そして、かかる放送番組の復調ができたと判断した（Ｙ）ときは次のステップＳ１２に移行し、一方、かかる放送番組の復調ができなかったと判断した（Ｎ）ときは他のステップＳ１６に移行する。
【００７２】
次に、ステップＳ１２において、放送周波数情報抽出部４は、抽出したＮＩＴａに基づいて放送周波数情報記録部７の該当周波数のスキャン状況の項目に不要を記録する。このような記録を行ったことにより、同じ放送ネットワーク種類で用いている他の周波数についてスキャンが実行されない。
【００７３】
次いで、ステップＳ１３において、放送周波数情報抽出部４及び放送番組情報抽出部５は、受信周波数内に未処理の詳細存在周波数情報（ＮＩＴｏ）があるか否かを判断する。そして、未処理の詳細存在周波数情報があると判断した（Ｙ）ときは次のステップＳ１４に移行し、一方、未処理の詳細存在周波数情報がないと判断した（Ｎ）ときは他のステップＳ１６に移行する。
【００７４】
続いて、ステップＳ１４において、チューナ制御部６は、放送周波数情報記録部７における詳細存在周波数情報（ＮＩＴｏ）に基づいた指定周波数のスキャン状況の項目に済や不要が記録されているか否かを判断する。この場合、スキャン状況の項目に済や不要が記録されていれば、既にその放送ネットワーク種類についてスキャンが終了しているかまたはスキャンの必要がないと聴取者が入力している場合である。そして、この指定周波数のスキャン状況に済や不要が記録されていないと判断した（Ｎ）ときは次のステップ１５に移行し、一方、この指定周波数のスキャン状況に済や不要が記録されていると判断した（Ｙ）ときは前のステップ１３に戻り、再びステップ１３以降の動作が繰り返し実行される。
【００７５】
続く、ステップＳ１５において、放送周波数情報抽出部４は、詳細存在周波数情報（ＮＩＴｏ）に基づいて指定周波数のスキャン状況の項目に詳細を記録する。この処理が終了すると、前のステップ１３に戻り、再びステップ１３以降の動作が繰り返し実行される。このような詳細存在周波数情報に関する処理は、抽出した全ての詳細存在周波数情報について実行され、全ての詳細存在周波数情報についての実行が終了すると、ステップＳ１３に戻り、次いでステップＳ１６に移行する。
【００７６】
次に、ステップＳ１６において、放送周波数情報抽出部４は、放送周波数情報部７の今回のスキャン周波数Ｓｆに対応したスキャン状況の項目にスキャンが終了したことを表す済を記録する。この処理が終了すると、放送周波数記録部記録ルーチンの実行が終了する。
【００７７】
次いで、図７は、図５に図示した次スキャン周波数決定ルーチンが実行される際の動作経緯を示すフローチャートである。
【００７８】
図７に図示のフローチャートを参照し、次スキャン周波数決定ルーチンが実行される際の動作について説明する。
【００７９】
始めに、ステップＳ２１において、チューナ制御部６は、放送周波数情報記録部７の各周波数のスキャン状況の項目に詳細が記録されているか否かを判断する。そして、いずれかの周波数におけるスキャン状況に詳細が記録されていると判断した（Ｙ）ときは次のステップＳ２２に移行し、一方、いずれの周波数におけるスキャン状況に詳細が記録されていないと判断した（Ｎ）ときは他のステップＳ２３に移行する。
【００８０】
次に、ステップＳ２２において、チューナ制御部６は、チューナ１のスキャン周波数Ｓｆを、放送周波数情報記録部７に詳細が記録されている周波数の中の最低周波数に設定する。この場合、放送周波数情報記録部７に詳細が記録されている周波数は、ＮＩＴａが存在することを示し、それを優先的にスキャンすることが効率的であるため、このような周波数設定を行ったものである。この設定が終了すると、次スキャン周波数決定ルーチンの処理を終了させる。
【００８１】
次いで、ステップＳ２３において、チューナ制御部６は、放送周波数情報記録部７の各周波数におけるスキャン状況の項目に未が記録されているか否かを判断する。そして、いずれかの周波数におけるスキャン状況の項目に未が記録されていると判断した（Ｙ）ときは次のステップＳ２４に移行し、一方、いずれの周波数におけるスキャン状況の項目に未が記録されていないと判断した（Ｎ）ときは他のステップＳ２５に移行する。
【００８２】
続く、ステップＳ２４において、チューナ制御部６は、チューナ１のスキャン周波数Ｓｆを、放送周波数情報記録部７のスキャン状況の項目に未が記録されている周波数の中の最低周波数に設定する。この設定が終了すると、次スキャン周波数決定ルーチンの処理を終了させる。
【００８３】
続いて、ステップＳ２５において、チューナ制御部６は、チューナ１のスキャン周波数Ｓｆを、スキャン終了周波数＋１に設定する。このような設定にすると、図５に図示されたステップＳ３における当該フローチャートの終了処理を行うことができる。この設定が終了すると、次スキャン周波数決定ルーチンの処理を終了させる。なお、ステップＳ２２及びステップＳ２５のそれぞれにおいては、スキャン周波数Ｓｆを該当する周波数中の最低周波数に設定するようにしているが、該当する周波数を漏れなくスキャンすることができれば、他の周波数設定方法であってもよい。
【００８４】
図８（ａ）、（ｂ）は、図１に図示された放送受信装置において周波数スキャンを行った場合の放送周波数情報記録部７の記録状態の一例を示す説明図であり、図９（ａ）、（ｂ）は、図１に図示された放送受信装置において周波数スキャンを行った場合の放送番組情報記録部８の記録状態の一例を示す説明図である。
【００８５】
図８（ａ）、（ｂ）及び図９（ａ）、（ｂ）に示すように、放送周波数情報記録部７の記録内容としては、放送ネットワーク種類の項目にＢＳデジタル、ＣＳデジタル、Ａ放送局が、周波数（ＭＨｚ）の項目に１１１、１１７、１２３、１２９、１３５、１４１、１４７が、スキャン状況の項目に未、済、詳細が、存在の項目に未、有がそれぞれ記録されている。
【００８６】
前記記録を達成する放送受信装置の構成要件は、次の通りである。すなわち、放送ネットワーク種類は、ＢＳデジタル、ＣＳデジタル、Ａ放送局が特定され、スキャン周波数には、１１１、１１７、１２３、１２９、１３５、１４１、１４７ＭＨｚの各周波数を使用し、ＢＳデジタルは、使用される放送周波数として、１２９ＭＨｚ、１３５ＭＨｚ、１４１ＭＨｚを挙げており、ＣＳデジタルは、使用される放送周波数として、１１７ＭＨｚを挙げており、Ａ放送局は、使用される放送周波数として、１４７ＭＨｚを挙げている。ＣＳデジタルは、周波数１２９ＭＨｚにおいてＢＳデジタルが放送されている旨を示すＮＩＴｏを放送している。この他に、聴取者（ユーザー）入力によりＡ放送局は、周波数１４７ＭＨｚのＮＩＴａが存在することがわかっている。
【００８７】
ここで、図５乃至図７に図示のフローチャートを併用し、放送周波数情報記録部７への記録状態及び放送番組情報記録部８の記録を行う際の動作経緯の一例について説明する。
【００８８】
まず、図５に図示の周波数スキャンを実行するフローチャートを開始し、放送周波数情報記録部７及び放送番組情報記録部８のスキャン状況や存在等の項目の情報をクリアする。このとき、放送周波数情報記録部７は、聴取者入力としてＡ放送局の情報が与えられているので、周波数１４７ＭＨｚにおけるスキャン状況の項目に詳細が記録され、それ以外の周波数のスキャン状況の項目に未が記録される。また、放送番組情報記録部８は、聴取者入力がないので、全ての放送ネットワーク種類における存在の項目に未が記録される。
【００８９】
次に、図５に図示の次スキャン周波数決定ルーチンの動作が実行される。このとき、放送周波数情報記録部７の周波数１４７ＭＨｚのスキャン状況に詳細が記録されているので、その周波数１４７ＭＨｚをチューナ１のスキャン周波数Ｓｆに設定し、次スキャン周波数決定ルーチンを終了させる。
【００９０】
このとき、チューナ１のスキャン周波数Ｓｆ（１４７ＭＨｚ）がスキャン終了周波数（この場合、１４７ＭＨｚ）を超えていないので、スキャン周波数Ｓｆに存在する放送番組の有無を判断する。この判断により、スキャン周波数Ｓｆ（１４７ＭＨｚ）にＡ放送局の放送番組が存在することが判明したので、その放送番組の復調を放送番組復調部３で実行する。そして、Ａ放送局の放送番組を復調できたので、放送番組情報記録部８のＡ放送局に関して存在の項目に有を記録し、周波数の項目に１４７（ＭＨｚ）を記録する。この時点には、放送番組情報記録部８の存在の項目に未が記録されているので、全ての放送番組情報の記録ができていないと判断し、放送周波数情報記録部記録ルーチンに移行する。
【００９１】
放送周波数情報記録部記録ルーチンにおいて、スキャン周波数Ｓｆ（１４７ＭＨｚ）を復調できたので、復調したＮＩＴａに含まれる周波数部分に不要を記録する。この時点には、周波数１４７ＭＨｚについての周波数情報が得られただけであるので、周波数１４７ＭＨｚにおけるスキャン状況の項目に不要を記録する。また、スキャン周波数Ｓｆ（１４７ＭＨｚ）にはＮＩＴｏが含まれていないので、周波数１４７ＭＨｚにおけるスキャン状況の項目に済を記録し、放送周波数情報記録部記録ルーチンを終了させ、次スキャン周波数決定ルーチンに移行する。
【００９２】
次スキャン周波数決定ルーチンにおいて、放送周波数情報記録部７は、この時点で、スキャン状況の項目に詳細の記録がないので、スキャン状況の項目に未が記録されている該当周波数の中の最低周波数である周波数１１１ＭＨｚにチューナ１のスキャン周波数Ｓｆを設定し、この設定が終了すると、次スキャン周波数決定ルーチンを終了させる。このとき、新たに設定したスキャン周波数Ｓｆ（１１１ＭＨｚ）がスキャン終了周波数（この場合、１４７ＭＨｚ）を超えていないので、周波数１１１ＭＨｚに存在する放送番組の有無を判断する。この判断により、スキャン周波数Ｓｆ（１１１ＭＨｚ）に放送番組が存在しないので、再び放送周波数情報記録部記録ルーチンに移行する。
【００９３】
放送周波数情報記録部記録ルーチンにおいて、スキャン周波数Ｓｆ（１１１ＭＨｚ）に放送番組が存在せず、放送番組の復調ができなかったため、放送周波数情報記録部７の周波数１１１ＭＨｚのスキャン状況の項目に済を記録し、放送周波数情報記録部記録ルーチンを終了させ、次スキャン周波数決定ルーチンに移行する。
【００９４】
次スキャン周波数決定ルーチンにおいて、放送周波数情報記録部７のスキャン状況の項目に詳細の記録がないので、この時点にスキャン状況の項目に未が記録されている周波数の中の最低周波数である１１７ＭＨｚにチューナ１のスキャン周波数Ｓｆを設定し、次スキャン周波数決定ルーチンを終了させる。
【００９５】
このとき、新たに設定したスキャン周波数Ｓｆ（１１７ＭＨｚ）がスキャン終了周波数（この場合、１４７ＭＨｚ）を超えていないので、周波数１１７ＭＨｚに存在する放送番組の有無を判断する。この判断により、スキャン周波数Ｓｆ（１１７ＭＨｚ）にはＣＳデジタルの放送番組が存在することが判明したので、その放送番組の復調を放送番組復調部３で実行する。そして、ＣＳデジタルの放送番組が復調できたので、放送番組情報記録部８のＣＳデジタルの存在の項目に有が記録され、周波数（１１７ＭＨｚ）の項目に済が記録される。この時点においても、放送番組情報記録部８の存在の項目に未が記録されているので、全ての放送番組情報の記録ができていないと判断し、放送周波数情報記録部記録ルーチンに移行する。
【００９６】
放送周波数情報記録部記録ルーチンにおいて、スキャン周波数Ｓｆ（１１７ＭＨｚ）を復調することができ、この時点に、周波数１１７ＭＨｚの周波数情報を得ているだけであるので、周波数１１７ＭＨｚにおけるスキャン状況の項目に不要が記録される。また、ＣＳデジタルにはＢＳデジタルが周波数１２９ＭＨｚで放送される旨のＮＩＴｏを含んでおり、そのＮＩＴｏに基づいた指定周波数１２９ＭＨｚのスキャン状況の項目に詳細が記録される。そして、今回のスキャン周波数１１７ＭＨｚのスキャン状況の項目に済が記録され、放送周波数情報記録部記録ルーチンを終了し、次スキャン周波数決定ルーチンに移行する。この時点での放送周波数情報記録部７の状態が図８（ｂ）である。
【００９７】
次スキャン周波数決定ルーチンにおいて、放送周波数情報記録部７の周波数１２９ＭＨｚのスキャン状況の項目に詳細が記録されたので、その周波数１２９ＭＨｚをスキャン周波数Ｓｆに設定し、次スキャン周波数決定ルーチンを終了させる。
【００９８】
このとき、新たに設定したスキャン周波数Ｓｆ（１２９ＭＨｚ）がスキャン終了周波数（この場合、１４７ＭＨｚ）を超えていないので、スキャン周波数Ｓｆに存在する放送番組の有無を判断する。この判断により、スキャン周波数Ｓｆ（１２９ＭＨｚ）にはＢＳデジタルの放送番組が存在こることが判明したので、その放送番組の復調を放送番組復調部３で実行する。そして、ＢＳデジタルの放送番組が復調できたので、放送番組情報記録部８のＢＳデジタルの存在の項目に有を記録し、周波数の項目にＮＩＴａに記録されている全ての周波数１２９（ＭＨｚ）、１３５（ＭＨｚ）、１４１（ＭＨｚ）を記録する。この時点には、放送番組情報記録部８の存在の項目に未の記録がないので、全ての放送番組情報を記録したものと判断して、この一連のスキャン処理を終了する。
【００９９】
続いて、図１０は、本発明の第２の実施の形態に係わる放送受信装置であって、その要部構成を示すブロック図である。
【０１００】
図１０に示されるように、この放送受信装置は、それぞれチューナ１１Ａと、放送番組有無判断部１２Ａと、放送番組復調部１３Ａと、放送周波数情報抽出部１４Ａと、放送番組情報抽出部１５Ａとからなるチューナブロック１０Ａと、それぞれチューナ１１Ｂと、放送番組有無判断部１２Ｂと、放送番組復調部１３Ｂと、放送周波数情報抽出部１４Ｂと、放送番組情報抽出部１５Ｂとからなるチューナブロック１０Ｂとを備え、その他に、チューナ制御部１６と、放送周波数情報記録部１７と、放送番組情報記録部１８と、入力部１９と、放送信号分配部２０とを備えている。
【０１０１】
そして、図１に図示された第１の実施の形態に係わる放送受信装置（前者）と、図１０に図示された第２の実施の形態に係わる放送受信装置（後者）との構成の違いは、前者がチューナ１と放送番組有無判断部２と放送番組復調部３と放送周波数情報抽出部４と放送番組情報抽出部５とからなる構成部分を一組有しているのに対して、後者がチューナ１と放送番組有無判断部２と放送番組復調部３と放送周波数情報抽出部４と放送番組情報抽出部５とからなる構成部分を２組有している点、及び、前者が放送信号分配部２０を有していないのに対して、後者が放送信号分配部２０を有している点である。
【０１０２】
この他にも、前者のチューナ制御部６は、１つのチューナ１の周波数スキャン状態を制御することができるものであるのに対して、後者のチューナ制御部１６は、２つのチューナ１１Ａ、１１Ｂの周波数スキャン状態を制御することができるものであり、前者の放送周波数情報記録部７は、１つのチューナブロックにおける１つのチューナ１に関する放送周波数情報だけが記録されるのに対して、後者の放送周波数情報記録部１７は、２つのチューナブロック１０Ａ、１０Ｂにおける２つのチューナ１１Ａ、１１Ｂに関する放送周波数情報が記録されるもので有る点に違いがある。なお、放送周波数情報記録部１７への記録状態の詳細は後述する。
【０１０３】
チューナブロック１０Ａで行われる処理と、チューナブロック１０Ｂで行われる処理との違いは、信号復調部１４Ａ、１４Ｂで復調される放送番組の変調方式の違い、周波数スキャンを行う際の処理のフローチャートの違い、周波数スキャンの時期にそれぞれ違いがある。
【０１０４】
ここで、復調される放送番組の変調方式の違いは、チューナブロック１０Ａのチューナ１１Ａと、チューナブロック１０Ｂのチューナ１１Ｂで処理できる放送信号変調方式の違いを意味する。例えば、地上波デジタル放送の放送信号の変調方式に用いられるＯＦＤＭ方式や、ケーブルテレビ伝送方式の放送信号の変調方式に用いられるＱＡＭ方式のように、その放送の種類によって用いられている放送信号変調方式が異なっており、これらの放送信号変調方式の放送信号を復調する側のチューナの構成も、ＯＦＤＭ復調用、ＱＡＭ復調用のようにそれぞれ区別されている。
【０１０５】
次に、周波数スキャンにおける処理のフローチャートの違いは、以下の２種類のものがある。その１つは、放送情報が存在する可能性が高い周波数を優先的にスキャンする方式であり、他の１つは、放送が行われているか否かを全ての放送周波数に関して優先的にスキャンした後で、放送情報が存在する可能性が高い周波数をスキャンする方式である。なお、これらの方式を実行するフローチャートについては後述する。
【０１０６】
続いて、周波数スキャンの時期の違いは、２つのチューナ１１Ａ、１１Ｂの周波数スキャンを実施する時期が重複しているか否かによるものである。例えば、１つのチューナ１１Ａの周波数スキャンが終了した後で、もう１つのチューナ１１Ｂの周波数スキャンを実施する場合や、２つのチューナ１１Ａ、１１Ｂの周波数スキャンを同時刻に同様に実行する場合等である。
【０１０７】
また、この第２の実施の形態に係わる放送受信装置において、図１０に図示の例では、２つのチューナブロック１０Ａ、１０Ｂを用いているが、３つまたはそれ以上の数のチューナブロックを用いたものであってもよい。３つ以上のチューナブロックを用いた場合、それぞれのチューナブロックで復調できる放送信号変調形式が異なっていても、３つ以上のチューナブロックで同じ放送信号変調形式の復調を行うものであっても、復調できる放送信号変調形式が複数種類であって、同じ放送信号変調形式の復調を行うものが複数存在していても（例えば、３つ存在する場合に、２つが同じ放送信号変調形式の復調を行い、１つが違う放送信号変調形式の復調を行う場合等）よい。また、周波数スキャンの時期については、それぞれのチューナブロックにおける周波数スキャンの実施時期に何等の制限がない。さらに、周波数スキャンにおける処理のフローチャートについては、後述する２つの方式のいずれかに該当するものであれば、チューナブロック毎に異なる方式を用いるものであってもよい。
【０１０８】
図１１は、第２の実施の形態の放送受信装置に用いられる放送周波数情報記録部１７の記録情報の一例を示す説明図である。
【０１０９】
この放送周波数情報記録部１７と、第１の実施の形態の放送受信装置に用いられる放送周波数情報記録部７との違いは、放送周波数情報記録部１７に、２つのチューナ１１Ａ、１１Ｂに関する周波数に対するスキャン状況の記録と、２つのチューナ１１Ａ、１１Ｂで取り扱う放送信号変調方式の記録と、スキャン状況の項目に処理中、信号有の記録を追加している点である。そして、第２の実施の形態の放送受信装置は、２つのチューナ１１Ａ、１１Ｂを用いたときのそれらのチューナ１１Ａ、１１Ｂについての記録を行っているものであるが、３つ以上のチューナを用いたときにはそれら３つののチューナについての記録が行われる。また、放送信号変調方式の記録については、第２の実施の形態の放送受信装置の例では、放送信号変調方式としてチューナ１１ＡがＯＦＤＭ、チューナ１１ＢがＱＡＭであると記録している。
【０１１０】
また、スキャン状況の項目について、処理中とは、現在そのチューナが処理している放送周波数がある旨の記録であり、信号有とは、処理した放送周波数に何等かの放送番組が存在することを確認したが、その放送番組の復調を行っていない旨の記録である。なお、これらの記録についての処理の詳細は後述する。また、放送周波数情報記録部１７は、スキャン状況の項目に、未、済、不要、詳細に加え、処理中、信号有の記録が行われる例であるが、この他にもスキャン状況を示すものであれば他の記録内容を用いてもよい。さらに、放送周波数情報記録部１７は、記録する項目について、放送信号の変調方式及びスキャン状況の記録を行う例であるが、周波数スキャンに関する情報であれば、これ以外の記録内容であってもよい。
【０１１１】
ここで、図１２は、第２の実施の形態の放送受信装置において周波数スキャンが実行される際の動作経緯を示すフローチャートである。
【０１１２】
図１２に図示のフローチャートを参照し、第２の実施の形態の放送受信装置が周波数スキャンを行なう際の動作について説明する。
【０１１３】
始めに、ステップＳ３１において、チューナ制御部１６は、入力部１９から周波数スキャンを開始する旨の指示があったとき、放送周波数情報記録部１７に記録されている周波数情報及び放送番組情報記録部１８に記録されている各周波数のスキャン状況をそれぞれクリアする。ここでのクリアの意味も、第１の実施の形態の放送受信装置における放送周波数情報記録部７及び放送番組情報記録部８のクリアの意味と同じで、例えば、放送周波数情報記録部１７においては、周波数指定が行われない限り、全ての周波数のスキャン状況の項目に未を記録する等の処理を行う。
【０１１４】
次に、ステップＳ３２において、チューナ制御部１６は、チューナブロック１０Ａのチューナ１１Ａに対して第１のフローチャート（以下、これをフローチャート甲という）に従った処理を実行する。なお、フローチャート甲についての詳細は後述する。
【０１１５】
また、ステップＳ３３において、チューナ制御部１６は、チューナブロック部１０Ｂ側のチューナ１１Ｂに対して第２のフローチャート（以下、これをフローチャート乙という）に従った処理を実行する。なお、フローチャート乙についての詳細は後述する。
【０１１６】
続いて、ステップＳ３４において、チューナ制御部１６は、チューナ１１Ａ及びチューナ１１Ｂの双方の処理が終了するまで待機する。そして、チューナ１１Ａ及びチューナ１１Ｂの双方の処理が終了した場合、この一連の処理を終了させる。
【０１１７】
次に、図１３は、図１２に図示のフローチャート甲に係わるもので、放送情報のある可能性が高い周波数部分を優先的に選択して、復調を行う方式の動作経緯を示すものである。
【０１１８】
図１３は、放送受信装置が放送情報がある可能性が高い周波数部分を優先的に周波数選択し、復調を行うフローチャートである。このフローチャート甲についてチューナブロック１０Ａの動作を例にあげて説明する。
【０１１９】
始めに、ステップＳ４１において、チューナ制御部１６は、次スキャン周波数決定ルーチン（以下、これを次スキャン周波数決定ルーチン甲という）を実行する。この次スキャン周波数決定ルーチン甲は、放送情報の存在する可能性の高い周波数を設定するもので、そのルーチンの詳細については後述する。
【０１２０】
次に、ステップＳ４２において、チューナ制御部１６は、次スキャン周波数決定ルーチン甲による処理が終了し、スキャン周波数Ｓｆを決定すると、そこで決定したスキャン周波数Ｓｆがスキャン終了周波数よりも高いか否かを判断する。そして、スキャン周波数Ｓｆがスキャン終了周波数よりも高くないと判断した（Ｎ）ときは次のステップＳ４３に移行し、一方、スキャン周波数Ｓｆがスキャン終了周波数よりも高いと判断した（Ｙ）ときは次スキャン周波数決定ルーチンにおいてスキャンする周波数がもはや存在しないことからこの一連の終了をさせる。
【０１２１】
次いで、ステップＳ４３において、チューナ制御部１６は、放送周波数情報記録部１７のチューナ１１Ａについての当該スキャン周波数Ｓｆのスキャン状況の項目に未以外の記録があったか否かを判断する。そして、未以外の記録があったと判断した（Ｙ）ときは次のステップＳ４４に移行し、一方、未以外の記録がなかったと判断した（Ｎ）ときは他のステップＳ４６に移行する。
【０１２２】
続いて、ステップＳ４４において、チューナ制御部１６は、スキャン周波数Ｓｆ中に存在する放送番組の有無を判断する。そして、スキャン周波数Ｓｆ中に放送番組が存在しないと判断した（Ｎ）ときは次のステップＳ４５に移行し、一方、スキャン周波数Ｓｆ中に放送番組が存在すると判断した（Ｙ）ときは他のステップＳ４６に移行する。
【０１２３】
続く、ステップＳ４５において、チューナ制御部１６は、放送周波数情報抽出部１４Ａを通して放送周波数情報記録部１７の２つのチューナ１１Ａ、１１Ｂについてのスキャン周波数Ｓｆのスキャン状況の項目に不要を記録し、この記録を行ったら再び次スキャン周波数決定ルーチンに戻り、ステップＳ４１以降の動作を繰返し実行する。
【０１２４】
一方、ステップＳ４６において、チューナ制御部１６は、放送番組復調部１３Ａを通してスキャン周波数Ｓｆを復調する。そして、スキャン周波数Ｓｆの中の放送番組の復調ができたか否かを判断する。そして、スキャン周波数Ｓｆの中に放送番組が存在せず、放送番組の復調ができないと判断した（Ｎ）ときは次のステップＳ４７に移行し、一方、スキャン周波数Ｓｆの中に放送番組が存在して放送番組の復調ができたと判断した（Ｙ）ときは他のステップＳ４８に移行する。
【０１２５】
次に、ステップＳ４７において、チューナ制御部１６は、放送周波数情報記録部記録ルーチン（以下、これを放送周波数情報記録部記録ルーチン甲という）を実行する。この放送周波数情報記録部記録ルーチン甲は、放送周波数情報記録部１７への記録経緯を示すもので、そのルーチンの詳細については後述する。
【０１２６】
また、ステップＳ４８において、チューナ制御部１６は、放送周波数情報記録部１７及び放送番組情報記録部１８を通して復調信号から詳細周波数情報（ＮＩＴａ）及び放送情報を抽出し、放送番組情報記録部１８に記録する。
【０１２７】
次に、ステップＳ４９において、チューナ制御部１６は、全ての放送情報を記録したか否かを判断する。そして、未だ全ての放送情報を記録していないと判断した（Ｎ）ときはステップＳ４７に移行して放送周波数情報記録部の記録ルーチンを実行し、一方、既に全ての放送情報を記録したと判断した（Ｙ）ときはこの一連の処理を終了させる。
【０１２８】
次いで、図１４は、図１３に図示のフローチャート甲に用いられる放送周波数情報記録部記録ルーチン甲を示すフローチャートである。これをチューナブロック１０Ａの動作を例に挙げて説明する。
【０１２９】
図１４に図示のフローチャートを参照し、放送周波数情報記録部記録ルーチン甲を実行する際の動作について説明する。
【０１３０】
まず、ステップＳ５１において、チューナ制御部１６は、放送番組復調部１３Ａを通して現在のスキャン周波数Ｓｆを復調できたか否かを判断する。そして、現在のスキャン周波数Ｓｆを復調できたと判断した（Ｙ）ときは次のステップＳ５２に移行し、一方、現在のスキャン周波数Ｓｆを復調できなかったと判断した（Ｎ）ときは他のステップＳ５７に移行する。
【０１３１】
次に、ステップＳ５２において、チューナ制御部１６は、復調信号から抽出した詳細周波数情報（ＮＩＴａ）の周波数情報に基づいて放送周波数情報記録部１７の２つのチューナ１１Ａ、１１Ｂの該当する全ての周波数のスキャン状況の項目に不要を記録する。
【０１３２】
次いで、ステップＳ５３において、チューナ制御部１６は、現在のスキャン周波数Ｓｆの中に未処理のＮＩＴｏが含まれているか否か判断する。そして、未だ未処理のＮＩＴｏが含まれていると判断した（Ｙ）ときは次のステップＳ５４に移行し、一方、もはや未処理のＮＩＴｏが含まれていないと判断した（Ｎ）ときは他のステップＳ５６に移行する。
【０１３３】
続く、ステップＳ５４において、チューナ制御部１６は、放送周波数情報記録部１７のＮＩＴｏに記録されているチューナ１１Ａの指定周波数のスキャン状況の項目に済または不要が記録されているか否かを判断する。そして、済が記録されている場合は、その周波数がチューナ１１Ｂでスキャンを済ましていることを表し、不要が記録されている場合は、その周波数がチューナ１１Ａでスキャンを済ましていたり、視聴者入力によってスキャンする必要のない周波数であることを表しているもので、このような済または不要が記録されていると判断した（Ｙ）ときは前のステップＳ５３に戻り、再びステップＳ５３以降の動作を繰り返し実行し、一方、済または不要が記録されていないと判断した（Ｙ）ときは次のステップＳ５４に移行する。
【０１３４】
続いて、ステップＳ５５において、チューナ制御部１６は、放送周波数情報抽出部１４Ｂを通して、放送周波数情報記録部１７の２つのチューナ１１Ａ、１１Ｂにおける該当する周波数部分に詳細を記録し、この記録が行われた後、前のステップＳ５３に戻り、再びステップＳ５３以降の動作を繰り返し実行する。
【０１３５】
また、ステップＳ５６において、チューナ制御部１６は、チューナ１１Ａの現在のスキャン周波数Ｓｆに存在する放送番組を放送番組復調部１３Ａで復調しており、もはやチューナ１１Ｂで受信する必要がないので、放送周波数情報記録部１７のチューナ１１Ｂの周波数Ｓｆのスキャン状況の項目に不要を記録する。
【０１３６】
次に、ステップＳ５７において、チューナ制御部１６は、チューナ１１Ａの周波数Ｓｆのスキャン状況の項目に済を記録し、この記録が行われるとこの一連の処理が終了する。
【０１３７】
続いて、図１５は、図１３に図示されるフローチャート甲に用いられる次スキャン周波数決定ルーチン甲を示すフローチャートである。これをチューナブロック１０Ａの動作を例に挙げて説明する。
【０１３８】
図１５に図示のフローチャートを参照し、次スキャン周波数決定ルーチン甲を実行する際の動作について説明する。
【０１３９】
まず、ステップＳ６１において、チューナ制御部１６は、放送周波数情報記録部１７のチューナ１１Ａのスキャン状況の項目に詳細の記録があるか否かを判断する。そして、詳細の記録がないと判断した（Ｎ）ときは次のステップＳ６２に移行し、一方、詳細の記録があると判断した（Ｙ）ときは他のステップＳ６５に移行する。
【０１４０】
次に、ステップＳ６２において、チューナ制御部１６は、放送周波数情報記録部１７のチューナ１１Ａのスキャン状況の項目に信号有の記録があるか否かを判断する。そして、信号有の記録がないと判断した（Ｎ）ときは次のステップＳ６３に移行し、一方、信号有の記録があると判断した（Ｙ）ときは他のステップＳ６６に移行する。
【０１４１】
次いで、ステップＳ６３において、チューナ制御部１６は、放送周波数情報記録部１７のチューナ１１Ａのスキャン状況の項目に未の記録があるか否かを判断する。そして、未の記録がないと判断した（Ｎ）ときは次のステップＳ６４に移行し、一方、未の記録があると判断した（Ｙ）ときは他のステップＳ６７に移行する。
【０１４２】
続いて、ステップＳ６４において、チューナ制御部１６は、チューナ１１Ａのスキャン周波数Ｓｆをスキャン終了周波数＋１に設定する。このような設定を行った後、この一連の処理を終了する。
【０１４３】
他のステップＳ６５において、チューナ制御部１６は、放送周波数情報記録部１７における同じ放送信号変調方式である他のチューナの周波数のスキャン状況の項目に処理中の記録の周波数がなく、かつ、詳細の記録の周波数があるという条件（以下、このような条件を記録条件１という）を満たしているか否かを判断する。そして、記録条件１を満たしていると判断した（Ｙ）ときはステップＳ６６に移行し、一方、記録条件１を満たしていないと判断した（Ｎ）ときはステップＳ６７に移行する。
【０１４４】
次に、ステップＳ６６において、チューナ制御部１６は、チューナ１１Ａのスキャン周波数を記録条件１を満たしている周波数の中の最低周波数に設定する。
【０１４５】
一方、ステップＳ６７において、チューナ制御部１６は、チューナ１１Ａのスキャン周波数を詳細を記録した全ての周波数の中の最低周波数に設定する。
【０１４６】
次のステップＳ６８において、チューナ制御部１６は、放送周波数情報記録部１７における同じ放送信号の変調方式である他のチューナの周波数のスキャン状況の項目に処理中を記録した周波数がなく、かつ、信号有を記録した周波数があるという条件（以下、このような条件を記録条件２という）を満たしているか否かを判断する。そして、記録条件２を満たしていると判断した（Ｙ）ときはステップＳ６９に移行し、一方、記録条件２を満たしていないと判断した（Ｎ）ときはステップＳ７０に移行する。
【０１４７】
次に、ステップＳ６９において、チューナ制御部１６は、チューナ１１Ａのスキャン周波数を記録条件２を満たしている周波数の中の最低周波数に設定する。
【０１４８】
一方、ステップＳ７０において、チューナ制御部１６は、チューナ１１Ａのスキャン周波数を信号有を記録した全ての周波数の中の最低周波数に設定する。
【０１４９】
次いで、ステップＳ７１において、チューナ制御部１６は、放送周波数情報記録部１７における他のチューナの周波数のスキャン状況の項目に処理中を記録した周波数がなく、かつ、未を記録した周波数があるという条件（以下、このような条件を記録条件３という）を満たしているか否かを判断する。そして、記録条件３を満たしていると判断した（Ｙ）ときはステップＳ７２に移行し、一方、記録条件３を満たしていないと判断した（Ｎ）ときはステップＳ７３に移行する。
【０１５０】
次に、ステップＳ７２において、チューナ制御部１６は、チューナ１１Ａのスキャン周波数を記録条件３を満たしている周波数の中の最低周波数に設定する。
【０１５１】
一方、ステップＳ７３において、チューナ制御部１６は、チューナ１１Ａのスキャン周波数を未を記録した全ての周波数の中の最低周波数に設定する。
【０１５２】
続く、ステップＳ７４において、チューナ制御部１６は、放送周波数情報記録部１７におけるスキャン周波数Ｓｆに該当する周波数のスキャン状況の項目に処理中を記録し、この記録を行った後、この一連の処理を終了する。
【０１５３】
なお、前記のフローチャートにおいては、ステップＳ６６、ステップＳ６７、ステップＳ６９、ステップＳ７０、ステップＳ７２、ステップＳ７３のそれぞれでは、該当する周波数が複数存在したときに、それらの中の最低周波数に設定するようにしているが、これら複数の周波数から一意に周波数を設定することができれば、このような周波数の設定手法を用いてもよく、チューナ１１Ａ、１１Ｂごとに異なる周波数の設定手法を用いるようにしてもよい。
【０１５４】
また、図１６は、図１２に図示されたフローチャート乙に係わるもので、放送中の全ての周波数に存在する放送番組の有無の状態を優先してスキャンする方式の動作経緯を示すものである。ここではチューナブロック１０Ｂの動作を例に挙げて説明する。
【０１５５】
始めに、ステップＳ８１において、次スキャン周波数決定ルーチン（以下、これを次スキャン周波数決定ルーチン乙という）を実行する。この次スキャン周波数決定ルーチン乙は、放送信号中の放送番組の存在の可能性の高い周波数を設定するもので、そのルーチンの詳細については後述する。
【０１５６】
次に、ステップＳ８２において、チューナ制御部１６は、次スキャン周波数決定ルーチン乙による処理が終了し、スキャン周波数Ｓｆを決定すると、決定したスキャン周波数Ｓｆがスキャン終了周波数よりも高いか否かを判断する。そして、スキャン周波数Ｓｆがスキャン終了周波数よりも高いと判断した（Ｙ）ときは次のステップＳ８３に移行し、一方、スキャン周波数Ｓｆがスキャン終了周波数よりも高くないと判断した（Ｎ）ときは他のステップＳ８４に移行する。
【０１５７】
次いで、ステップＳ８３において、チューナ制御部１６は、ステップＳ８２の判断により、放送番組の存在する周波数のスキャンが終了しているので、放送情報のある可能性が高い周波数部分を優先的に周波数スキャンするフローチャートであるフローチャート甲の処理をチューナブロック１０Ｂについて開始する。このとき、フローチャート甲を表す図１３、図１４、図１５はチューナブロック１０Ａを前提として表記されているので、「チューナ１１Ａ」は「チューナ１１Ｂ」に読み替える必要がある。
【０１５８】
また、ステップＳ８４において、チューナ制御部１６は、スキャン周波数Ｓｆにおける放送番組の有無を判断する。
【０１５９】
次いで、ステップＳ８５において、チューナ制御部１６は、放送周波数情報記録部記録ルーチン（以下、これを放送周波数情報記録部記録ルーチン乙という）を実行する。この放送周波数情報記録部記録ルーチン乙は、放送周波数情報記録部１７への記録経緯を示すもので、そのルーチンの詳細については後述する。このルーチン乙が終了すると、再びステップＳ８１に戻り、ステップＳ８１以降の動作が繰り返し実行される。
【０１６０】
次に、図１７は、図１６に図示されるフローチャートに用いられる放送周波数情報記録部記録ルーチン乙を示すフローチャートである。
【０１６１】
図１７に図示のフローチャートを参照し、放送周波数情報記録部記録ルーチン乙を実行する際の動作について、チューナブロック１０Ｂの動作を例に挙げて説明する。
【０１６２】
始めに、ステップＳ９１において、チューナ制御部１６は、チューナ１１Ｂに設定された現在のスキャン周波数Ｓｆに放送番組が存在するか否かを判断する。そして、現在のスキャン周波数Ｓｆに放送番組が存在しないと判断した（Ｎ）ときは次のステップＳ９２に移行し、一方、現在のスキャン周波数Ｓｆに放送番組が存在すると判断した（Ｙ）ときは他のステップＳ９３に移行する。
【０１６３】
次に、ステップＳ９２において、チューナ制御部１６は、放送周波数情報記録部１７の２つのチューナ１１Ａ、１１Ｂの当該周波数Ｓｆのスキャン状況の項目に不要を記録し、その記録を行ったこの一連の処理を終了させる。
【０１６４】
また、ステップＳ９３において、チューナ制御部１６は、放送周波数情報記録部１７のチューナ１１Ｂの当該周波数Ｓｆのスキャン状況の項目に信号有を記録する。
【０１６５】
次いで、ステップＳ９４において、チューナ制御部１６は、放送周波数情報記録部１７のチューナ１１Ａの当該周波数Ｓｆのスキャン状況の項目に未の記録があるか否かを判断する。そして、未の記録があると判断した（Ｙ）ときは次のステップＳ９５に移行し、一方、未の記録がないと判断した（Ｎ）ときはこの一連の処理を終了させる。
【０１６６】
続く、ステップＳ９５において、チューナ制御部１６は、放送周波数情報記録部１７のチューナ１１Ａの当該周波数Ｓｆのスキャン状況の項目の未の記録を信号有の記録に変更する。この記録変更が行われると、この一連の処理を終了させる。
【０１６７】
次いで、図１８は、図１６に図示されるフローチャートに用いられる次スキャン周波数決定ルーチン乙を示すフローチャートである。
【０１６８】
図１８に図示のフローチャートを参照し、次スキャン周波数決定ルーチン乙を実行する際の動作について、チューナブロック１０Ｂの動作を例に挙げて説明する。
【０１６９】
始めに、ステップＳ１０１において、チューナ制御部１６は、放送周波数情報記録部１７のチューナ１１Ｂのスキャン状況の項目に未が記録されているか否かを判断する。そして、未が記録されいないと判断した（Ｎ）ときは次のステップＳ１０２に移行し、一方、未が記録されていると判断した（Ｙ）ときは他のステップＳ１０３に移行する。
【０１７０】
次に、ステップＳ１０２において、チューナ制御部１６は、チューナ１１Ｂのスキャン周波数Ｓｆをスキャン終了周波数＋１に設定し、この設定が行われた後、この一連の処理を終了する。
【０１７１】
次いで、ステップＳ１０３において、チューナ制御部１６は、放送周波数情報記録部１７のチューナ１１Ａの周波数のスキャン状況の項目に処理中の記録がなく、かつ、未の記録があるという条件（以下、このような条件を記録条件４という）を満たしているか否かを判断する。そして、記録条件４を満たしていると判断した（Ｙ）ときはステップＳ１０４に移行し、一方、記録条件４を満たしていないと判断した（Ｎ）ときはステップＳ１０５に移行する。
【０１７２】
次に、ステップＳ１０４において、チューナ制御部１６は、チューナ１１Ｂのスキャン周波数Ｓｆを記録条件４を満たしている周波数の中の最低周波数に設定する。
【０１７３】
一方、ステップＳ１０５において、チューナ制御部１６は、チューナ１１Ｂのスキャン周波数を未を記録した全ての周波数中の最低周波数に設定する。
【０１７４】
続いて、ステップＳ１０６において、チューナ制御部１６は、放送周波数情報記録部１７のスキャン周波数Ｓｆに該当する周波数のスキャン状況の項目に処理中を記録し、この記録が行われた後、この一連の処理を終了させる。
【０１７５】
なお、前記のフローチャートにおいては、ステップＳ１０４、ステップＳ１０５のそれぞれでは、該当する周波数が複数存在したときに、それらの中の最低周波数に設定するようにしているが、これら複数の周波数から一意に周波数を設定することができれば、このような周波数の設定手法を用いてもよく、チューナ１１Ａ、１１Ｂごとに異なる周波数の設定手法を用いるようにしてもよい。
【０１７６】
続いて、図１９（ａ）、（ｂ）は、図１０に図示された放送受信装置において周波数スキャンを行った場合の放送周波数情報記録部１７の記録状態の第１例を示す説明図であり、図２０（ａ）、（ｂ）は、同じく図１０に図示された放送受信装置において周波数スキャンを行った場合の放送周波数情報記録部１７の記録状態の第２例を示す説明図である。
【０１７７】
図１９（ａ）、（ｂ）及び図２０（ａ）、（ｂ）に示すように、放送周波数情報記録部１７の記録内容としては、チューナ名の項目にチューナ１１Ａ、チューナ１１Ｂが、放送信号の変調方式の項目にＱＡＭ、ＯＦＤＭが、周波数（ＭＨｚ）の項目に１１１、１１７、１２３、１２９、１３５が、スキャン状況の項目に未、済、処理中、信号有、詳細、不要がそれぞれ記録されている。なお、放送番組情報記録部１８の記録状態は、既に述べた放送番組情報記録部８の記録状態と殆ど同じであるので、ここではその記録状態の説明を省略している。
【０１７８】
前記記録を達成する放送受信装置の構成要件は、次の通りである。すなわち、使用するチューナは、チューナ１１Ａ、チューナ１１Ｂの２つであり、チューナ１１Ａには放送信号の変調方式がＱＡＭの信号を変調することが可能であり、チューナ１１Ｂは放送信号の変調方式がＯＦＤＭの信号を変調することが可能である。チューナ１１Ａでは複数の周波数のスキャンをする際にそれら複数の周波数の中の最低周波数を優先してスキャンするように設定され、チューナ１１Ｂでは複数の周波数のスキャンをする際にそれら複数の周波数の中の最高周波数を優先してスキャンするように設定される。放送ネットワーク種類は特定されていない。スキャン周波数には、１１１、１１７、１２３、１２９、１３５ＭＨｚの各周波数を使用している。ＢＳデジタルは、使用される放送周波数として、１１７ＭＨｚ、１２３ＭＨｚを挙げており、その放送信号の変調方式はＱＡＭである。ＣＳデジタルは、使用される放送周波数として、１３５ＭＨｚを挙げており、その放送信号の変調方式はＱＡＭである。Ａ放送局は、使用される放送周波数として、１１１ＭＨｚを挙げており、その放送信号の変調方式はＯＦＤＭである。また、ＣＳデジタルは、周波数１１７ＭＨｚでＢＳデジタルが放送されている旨を示すＮＩＴｏを放送している。また、動作条件として、存在する放送番組の有無の判断時間が放送番組の復調時間よりに短くなっているものとする。
【０１７９】
ここで、図１２乃至図１７に図示のフローチャートを併用し、放送周波数情報記録部１７の記録を行う際の動作経緯の一例について説明する。
【０１８０】
まず、聴取者（ユーザー）が入力部１９を操作して周波数スキャンの開始指示をすると、放送周波数情報記録部１７及び放送番組情報記録部１８の記録内容が初期化される。このとき、聴取者からスキャン周波数ついて何等の指定がないとすれば、各周波数のスキャン状況の項目は全て未に設定される。
【０１８１】
この後、チューナ１１Ａはフローチャート甲に従った処理を開始し、チューナ１１Ｂはフローチャート乙に従った処理を開始する。このときに、チューナ１１Ａは次スキャン周波数決定ルーチン甲を実行し、チューナ１１Ｂは次スキャン周波数決定ルーチン乙を実行する。
【０１８２】
この時点においては、放送周波数情報記録部１７のチューナ１１Ａの各周波数のスキャン状況の項目に詳細、信号有が記録されておらず、未が記録さているだけであり、また、放送周波数情報記録部１７のチューナ１１Ｂの各周波数のスキャン状況の項目に処理中が記録されておらず、全てが未の記録だけであるので、チューナ制御部１６は、チューナ１１Ａのスキャン周波数Ｓｆを各周波数の中の最低周波数１１１ＭＨｚに設定する。
【０１８３】
この設定を行うと、放送周波数情報記録部１７のチューナ１１Ａの周波数１１１ＭＨｚのスキャン状況の項目に処理中が記録され、この記録が行われると、次スキャン周波数決定ルーチン甲の処理が終了する。
【０１８４】
また、放送周波数情報記録部１７のチューナ１１Ｂの各周波数のスキャン状況の項目に全て未が記録され、チューナ１１Ａの周波数１１１ＭＨｚのスキャン状況の項目に処理中が記録されるので、チューナ制御部１６は、チューナ１１Ａのスキャン周波数Ｓｆを周波数１１１ＭＨｚを除いた周波数の中の最高周波数１３５ＭＨｚに設定する。
【０１８５】
この設定を行うと、放送周波数情報記録部１７のチューナ１１Ｂの周波数１３５ＭＨｚのスキャン状況の項目に処理中が記録され、この記録が行われると、次スキャン周波数決定ルーチン乙の処理が終了する。
【０１８６】
このとき、チューナ１１Ａのスキャン周波数Ｓｆ（１１１ＭＨｚ）がスキャン終了周波数（１３５ＭＨｚ）よりも低く、放送周波数情報記録部１７のチューナ１１Ａのスキャン周波数Ｓｆのスキャン状況の項目に処理中が記録される以前に未が記録されていたので、当該スキャン周波数Ｓｆに存在する放送番組の有無が判断される。そして、当該スキャン周波数Ｓｆは、Ａ放送局の放送信号で、その放送信号に放送番組が存在するので、信号復調部１３Ａにより放送番組がＱＡＭ復調される。しかるに、Ａ放送局の放送信号は、放送信号の変調形式がＯＦＤＭであり、ＱＡＭ復調を行う信号復調部１３Ａでは復調できないので、放送周波数情報記録部１７のチューナ１１Ａの当該周波数のスキャン状況の項目に済が記録され、その記録が行われた後、チューナ１１Ａにより放送周波数情報記録部記録ルーチン甲が実行される。
【０１８７】
一方、チューナ１１Ｂのスキャン周波数Ｓｆ（１３５ＭＨｚ）がスキャン終了周波数（１３５ＭＨｚ）と同じであるので、当該スキャン周波数Ｓｆに存在する放送番組の有無が判断される。そして、当該スキャン周波数Ｓｆは、ＣＳデジタルの放送信号で、その放送信号中に放送番組が存在するので、放送周波数情報記録部１７のチューナ１１Ｂの当該周波数のスキャン状況の項目に信号有が記録され、放送周波数情報記録部１７のチューナ１１Ａの当該周波数のスキャン状況の項目の未の記録が信号有の記録に変更される。
【０１８８】
このような記録が行われた後、チューナ１１Ｂにおいて次スキャン周波数決定ルーチン乙が実行される。このルーチン乙の実行時に、放送周波数情報記録部１７のチューナ１１Ｂのスキャン状況の項目に未の記録があるかどうかの判断が行われ、チューナ１１Ａのスキャン状況の項目に処理中が記録されていない周波数の中の最高周波数１２９ＭＨｚをチューナ１１Ｂのスキャン周波数Ｓｆに設定する。そして、放送周波数情報記録部１７のチューナ１１Ｂの当該周波数のスキャン状況の項目に処理中が記録され、その記録が行われた後、このルーチン乙を終了させる。このときの放送周波数情報記録部１７の状態が図１９（ａ）である。
【０１８９】
また、チューナ１１Ａによる放送周波数情報記録部記録ルーチン甲が実行されている時に、放送周波数情報記録部１７の各周波数のスキャン状況の項目に詳細が記録されておらず、スキャン状況の項目に信号有が記録された周波数として周波数１３５ＭＨｚがあるので、チューナ１１Ａのスキャン周波数Ｓｆを当該周波数１３５ＭＨｚに設定する。この後、放送周波数情報記録部１７のチューナ１１Ａの周波数１３５ＭＨｚのスキャン状況の項目に処理中が記録され、その記録が行われた後、このルーチン甲を終了させる。
【０１９０】
このとき、チューナ１１Ｂのスキャン周波数Ｓｆ（１２９ＭＨｚ）がスキャン終了周波数（１３５ＭＨｚ）よりも低く、チューナ１１Ｂの当該周波数のスキャン状況の項目に処理中が記録される以前に未が記録されていたので、当該スキャン周波数Ｓｆ（１２９ＭＨｚ）に存在する放送番組の有無が判断される。そして、当該周波数には放送番組が存在しないので、放送周波数情報記録部１７の２つのチューナ１１Ａ、１１Ｂの当該周波数のスキャン状況の項目に不要が記録される。
【０１９１】
このような記録が行われた後、チューナ１１Ｂによる次スキャン周波数決定ルーチン乙が実行される。このルーチン乙の実行時に、放送周波数情報記録部１７のチューナ１１Ｂのスキャン状況の項目に未が記録されており、チューナ１１Ａのスキャン状況の項目に処理中が記録されいない周波数の中の最高周波数１２３ＭＨｚをチューナ１１Ｂのスキャン周波数Ｓｆに設定する。このような設定が行われると、放送周波数情報記録部１７のチューナ１１Ｂの当該周波数のスキャン状況の項目に処理中が記録され、その記録が行われた後、このルーチン乙を終了させる。
【０１９２】
このとき、チューナ１１Ｂに設定した当該周波数（１２３ＭＨｚ）がスキャン終了周波数（１３５ＭＨｚ）よりも低いため、当該周波数（１２３ＭＨｚ）に存在する放送番組の有無が判断される。そして、ＢＳデジもタルである当該周波数（１２３ＭＨｚ）に放送番組が存在するので、放送周波数情報記録部１７のチューナ１１Ｂの当該周波数のスキャン状況の項目に信号有が記録され、チューナ１１Ａの当該周波数のスキャン状況の項目の未の記録が信号有の記録に変更される。
【０１９３】
このような記録が行われた後、チューナ１１Ｂによる次スキャン周波数決定ルーチン乙が実行される。このルーチン乙の実行時に、放送周波数情報記録部１７のチューナ１１Ｂのスキャン状況の項目に未が記録されており、チューナ１１Ａのスキャン状況の項目に処理中が記録されていない周波数の中の最高周波数１１７ＭＨｚをチューナ１１Ｂのスキャン周波数Ｓｆに設定する。このような設定が行われると、放送周波数情報記録部１７のチューナ１１Ｂの当該周波数のスキャン状況の項目に処理中が記録され、その記録が行われた後、このルーチン乙を終了させる。
【０１９４】
チューナ１１Ａに設定された周波数１３５ＭＨｚは、ＣＳデジタルで、放送信号の変調方式がＱＡＭであるので、当該周波数（１３５ＭＨｚ）の放送番組を信号復調部１３Ａで復調することができる。このとき、復調信号からＮＩＴａ及び放送情報が抽出され、それらを放送番組情報記録部１８に記録した後、全ての放送番組情報の記録が終了したか否かを判断する。本例の前提条件は、全ての放送ネットワーク種類が不明であって、全ての放送番組情報の記録が終了したか否かが判らないので、チューナ１１Ａによる放送周波数情報記録部記録ルーチン甲を実行する。そして、復調が実行されており、「ＣＳデジタル」は１３５ＭＨｚだけであるので、全チューナの１３５ＭＨｚの部分に「不要」の記録を行う。
【０１９５】
この時点に、ＣＳデジタルに含まれるＮＩＴｏにＢＳデジタルの周波数１１７ＭＨｚが存在し、放送周波数情報記録部１７のチューナ１１Ａの周波数１１７ＭＨｚのスキャン状況の項目に済、不要が記録されていないので、放送周波数情報記録部１７の２つのチューナ１１Ａ、１１Ｂの周波数１１７ＭＨｚのスキャン状況の項目に詳細が記録される。
【０１９６】
そして、放送周波数情報記録部１７のチューナ１１Ａのスキャン周波数Ｓｆ（１３５ＭＨｚ）に該当するスキャン状況の項目に済が記録され、チューナ１１Ｂの同周波数のスキャン状況の項目に不要が記録される。このような記録が行われると、このルーチン甲を終了させる。このときの放送周波数情報記録部１７の状態が図１９（ｂ）である。
【０１９７】
このとき、チューナ１１Ｂに設定した当該周波数（１１７ＭＨｚ）がスキャン終了周波数（１３５ＭＨｚ）よりも低いため、当該周波数（１１７ＭＨｚ）に存在する放送番組の有無が判断される。そして、ＢＳデジもタルである当該周波数に放送番組が存在するので、放送周波数情報記録部１７のチューナ１１Ｂの当該周波数のスキャン状況の項目に信号有が記録され、チューナ１１Ａの当該周波数のスキャン状況の項目に詳細が記録されているので、その記録を変更させずに、このルーチン乙を終了させる。
【０１９８】
次いで、チューナ１１Ｂに次スキャン周波数決定ルーチン乙を実行させる。このルーチン乙の実行時に、放送周波数情報記録部１７のチューナ１１Ｂの周波数のスキャン状況の項目に未が記録されており、チューナ１１Ａの項目に処理中が記録されていない周波数の中の最高周波数１１１ＭＨｚをチューナ１１Ｂのスキャン周波数Ｓｆに設定する。このような設定が行われると、放送周波数情報記録部１７チューナ１１Ｂの当該周波数のスキャン状況の項目に処理中が記録され、その記録が行われると、このルーチン乙を終了させる。
【０１９９】
また、チューナ１１Ａに次スキャン周波数決定ルーチン甲を実行させる。このルーチン甲の実行時に、放送周波数情報記録部１７のチューナ１１Ａの周波数のスキャン状況の項目に詳細が記録され、周波数１１７ＭＨｚのスキャン状況の項目に詳細が記録されているので、チューナ１１Ａのスキャン周波数Ｓｆを当該周波数１１７ＭＨｚに設定する。このような設定が行われると、放送周波数情報記録部１７のチューナ１１Ａの当該周波数のスキャン状況の項目に処理中が記録され、その記録が行われると、このルーチン甲を終了させる。
【０２００】
このとき、チューナ１１Ａに設定した当該周波数（１１７ＭＨｚ）がスキャン終了周波数（１３５ＭＨｚ）よりも低く、放送周波数情報記録部１７のチューナ１１Ａの当該周波数のスキャン状況の項目の処理中が記録される以前に詳細が記録されていたので、信号復調部１３Ａで放送番組のＱＡＭ復調を行う。
【０２０１】
一方、チューナ１１Ｂに設定した当該周波数（１１１ＭＨｚ）がスキャン終了周波数（１３５ＭＨｚ）よりも低いので、当該周波数（１１１ＭＨｚ）の中に存在する放送番組の有無を判断する。このとき、Ａ放送局の放送信号である当該周波数中に放送番組が存在するので、放送周波数情報記録部１７のチューナ１１Ｂの当該周波数のスキャン状況の項目に信号有が記録され、放送周波数情報記録部１７のチューナ１１Ａの該当周波数のスキャン状況の項目に済が記録されているので、この記録の変更をさせずに、このルーチン乙を処理を終了させる。
【０２０２】
次いで、チューナ１１Ｂにおいて次スキャン周波数決定ルーチン乙を実行する。このルーチン乙の実行時に、放送周波数情報記録部１７のチューナ１１Ｂの各周波数のスキャン状況の項目に未が記録されていないので、チューナ１１Ｂのスキャン周波数Ｓｆをスキャン終了周波数＋１（１３５＋１＝１３６ＭＨｚ）に設定する。この設定が行われると、ルーチン乙を終了させる。
【０２０３】
このとき、チューナ１１Ｂに設定した当該周波数（１３６ＭＨｚ）は、スキャン終了周波数（１３５ＭＨｚ）より高いため、放送番組の存在の有無に関しては全周波数で判断済みであると判断し、放送番組の存在している周波数を優先的に選択し、復調を行う処理に切り換える。そのため、チューナ１１Ｂの処理をフローチャート乙からフローチャート甲の処理に移行させる。
【０２０４】
この後、チューナ１１Ｂにおいて次スキャン周波数決定ルーチン甲を実行する。このルーチン甲の実行時に、放送周波数情報記録部１７のチューナ１１Ｂの各周波数のスキャン状況の項目に詳細が記録されておらず、３つの周波数１１１ＭＨｚ、１１７ＭＨｚ、１２３ＭＨｚの同項目に信号有の記録があり、チューナ１１Ａに同じ放送信号の変調方式が存在しない。チューナ１１Ｂでは、複数の周波数が存在する場合には最高周波数を選択するので、それらの周波数の中の最高周波数１２３ＭＨｚをチューナ１１Ｂのスキャン周波数Ｓｆに設定する。その後、放送周波数情報記録部１７のチューナ１１Ｂの該当周波数のスキャン状況の項目に処理中が記録され、この記録が行われると、このルーチン甲を終了させる。このときの放送周波数情報記録部１７の状態が図２０（ａ）である。
【０２０５】
このとき、チューナ１１Ｂに設定した当該周波数（１２３ＭＨｚ）がスキャン終了周波数（１３５ＭＨｚ）よりも低く、放送周波数情報記録部１７のチューナ１１Ｂの該当周波数のスキャン状況の項目の処理中が記録される以前に信号有が記録されていたので、信号復調部１３ＢによりＯＦＤＭ復調を実行する。
【０２０６】
一方、チューナ１１Ａではチューナ１１ＢがＯＦＤＭ変調している間に、周波数１１７ＭＨｚにおいてＱＡＭ変調を実施しており、ＢＳデジタルである周波数（１１７ＭＨｚ）は、放送信号の変調方式がＱＡＭであり、信号復調部１３Ａにおいて復調できるので、復調信号から抽出したＮＩＴａ及び放送情報を放送番組情報記録部１８に記録し、全ての放送番組情報の記録が終了しているか否かを判断する。本例では、全ての放送ネットワーク種類は不明であって、記録が終了しているか否かが判らないので、チューナ１１Ａにおいて放送周波数情報記録部記録ルーチン甲を実行させる。
【０２０７】
このとき、信号復調部１３Ａで復調した復調信号から抽出したＮＩＴａに基づいて放送周波数情報記録部１７のチューナ１１Ａ、１１Ｂの当該周波数（１１７ＭＨｚ）のスキャン状況の項目に不要を記録する。また、ＢＳデジタルの放送周波数は、１１７ＭＨｚ、１２３ＭＨｚにもあるので、放送周波数情報記録部１７のチューナ１１Ａ、１１Ｂのこれらの周波数のスキャン状況の項目に不要を記録する。
【０２０８】
ＢＳデジタルには、ＮＩＴｏが存在しないので、放送周波数情報記録部１７のチューナ１１Ａのスキャン周波数Ｓｆ（１１７ＭＨｚ）におけるチューナ１１Ｂの該当周波数のスキャン状況の項目に不要が記録され、チューナ１１Ａの該当周波数のスキャン状況の項目に済が記録され、この記録が行われると、このルーチン甲を終了させる。
【０２０９】
続いて、チューナ１１Ａに次スキャン周波数決定ルーチン甲を実行させる。このルーチン甲の実行時に、放送周波数情報記録部１７の各周波数のスキャン状況の項目に詳細、信号有、未の記録がないので、チューナ１１Ａのスキャン周波数Ｓｆをスキャン終了周波数＋１（１３５＋１ＭＨｚ）に設定する。この設定を行なうと、このルーチン甲を終了させる。
【０２１０】
このとき、チューナ１１Ａに設定したスキャン周波数Ｓｆ（１３６ＭＨｚ）がスキャン終了周波数（１３５ＭＨｚ）よりも高いため、チューナ１１Ａの処理を終了させる。
【０２１１】
一方、チューナ１１Ｂでは周波数１２３ＭＨｚにおいてＯＦＤＭ変調を実施しており、１２３ＭＨｚに存在するＢＳデジタルは放送信号の変調方式がＱＡＭであり、信号復調部１３ＢでＱＡＭ復調を行うことができないので、放送周波数情報記録部記録ルーチン甲が実行される。そして、放送周波数情報記録部１７のチューナ１１Ｂのスキャン周波数Ｓｆ（１２３ＭＨｚ）のスキャン状況の項目に済が記録される。このときの放送周波数情報記録部１７の状態が図２０（ｂ）である。
【０２１２】
次いで、チューナ１１Ｂに次スキャン周波数決定ルーチン甲を実行させる。このルーチン甲の実行時に、放送周波数情報記録部１７の各周波数のスキャン状況の項目に詳細の記録がなく、周波数１１１ＭＨｚのスキャン状況の項目に信号有の記録があるので、チューナ１１Ｂのスキャン周波数Ｓｆを１１１ＭＨｚに設定する。その設定が行われると、放送周波数情報記録部１７の当該周波数のスキャン状況の項目に処理中が記録され、この記録が行われると、このルーチン甲を終了させる。
【０２１３】
Ａ放送局は放送信号の変調方式がＯＦＤＭであり、信号復調部１３ＢでＯＦＤＭ復調できるので、復調信号からＮＩＴａ及び放送情報を抽出し、放送番組報記録部１８に記録した後、全放送番組情報の記録が終了したか否かを判断する。本例では全ての放送ネットワーク種類は不明であって、記録が終了したか否かが判らないので、チューナ１１Ｂにおいて放送周波数情報記録部記録ルーチン乙を実行させる。
【０２１４】
このとき、Ａ放送局の放送信号が復調され、復調信号から抽出したＮＩＴａに基づけば、Ａ放送局の放送信号は、周波数１１１ＭＨｚのものだけであるので、放送周波数情報記録部１７のチューナ１１Ａ、１１Ｂの当該周波数（１１１ＭＨｚ）のスキャン状況の項目に不要を記録する。
【０２１５】
また、Ａ放送局の放送信号にはＮＩＴｏが含まれていないので、放送周波数情報記録部１７のチューナ１１Ａの当該周波数（１１１ＭＨｚ）のスキャン状況の項目に不要が記録され、チューナ１１Ｂの当該周波数のスキャン状況の項目に済が記録され、この記録が行われると、このルーチン甲を終了させる。
【０２１６】
次いで、チューナ１１Ｂに次スキャン周波数決定ルーチン甲を実行させる。このルーチン甲の実行時に、放送周波数情報記録部１７の各周波数のスキャン状況の項目に詳細、信号有、未のそれぞれの記録がないので、チューナ１１Ｂのスキャン周波数Ｓｆをスキャン終了周波数＋１（１３５＋１ＭＨｚ）に設定し、この設定が行われると、ルーチン甲を終了させる。
【０２１７】
このとき、チューナ１１Ｂに設定した当該周波数（１３６ＭＨｚ）は、スキャン終了周波数（１３５ＭＨｚ）より高いため、チューナ１１Ｂの処理を終了させる。
【０２１８】
以上の経緯を経て２つのチューナ１１Ａ、１１Ｂの処理が全て終了する。
【０２１９】
なお、前記第２の実施の形態においては、２つのチューナブロック部１０Ａ、１０Ｂを用いた例を挙げて説明したが、本発明による使用可能なチューナブロック部の数は、２つである場合に限られるものではなく、３つまたはそれ以上であってもよい。
【０２２０】
そして、チューナブロック部の数を増やした場合、各チューナブロック部の動作を共通制御するチューナ制御部１６がチューナブロック部の数に合致して動作するように、チューナ制御部１６の制御形態が設定される。
【図面の簡単な説明】
【０２２１】
【図１】本発明の第１の実施の形態に係わる放送受信装置であって、その要部構成を示すブロック図である。
【図２】放送中の放送周波数情報記述データの例として、デジタル放送の規格として定められているＮＩＴの一部を抜粋したものである。
【図３】図１に図示された放送受信装置における放送周波数情報記録部７の記録内容の一例を示す説明図である。
【図４】図１に図示された放送受信装置における放送番組情報記録部８の記録内容の一例を示す説明図である。
【図５】図１に図示された放送受信装置において周波数スキャンが行われる際の動作経緯を示すフローチャートである。
【図６】図５に図示した放送周波数記録部の記録ルーチンが実行される際の動作経緯を示すフローチャートである。
【図７】図５に図示した次スキャン周波数決定ルーチンが実行される際の動作経緯を示すフローチャートである。
【図８】図１に図示された放送受信装置において周波数スキャンを行った場合の放送周波数情報記録部の記録状態の一例を示す説明図である。
【図９】図１に図示された放送受信装置において周波数スキャンを行った場合の放送番組情報記録部の記録状態の一例を示す説明図である。
【図１０】本発明の第２の実施の形態に係わる放送受信装置であって、その要部構成を示すブロック図である。
【図１１】第２の実施の形態の放送受信装置に用いられる放送周波数情報記録部１７の情報内容の一例を示す説明図である。
【図１２】第２の実施の形態の放送受信装置において周波数スキャンが実行される際の動作経緯を示すフローチャートである。
【図１３】図１２に図示のフローチャート甲に係わるもので、放送情報のある可能性が高い周波数部分を優先して復調する方式の周波数スキャンの動作経緯を示すものである。
【図１４】図１３に図示されるフローチャート甲に用いられる放送周波数情報記録部記録ルーチン甲を示すフローチャートである。
【図１５】図１３に図示されるフローチャート甲に用いられる次スキャン周波数決定ルーチン甲を示すフローチャートである。
【図１６】図１２に図示されたフローチャート乙に係わるもので、放送中の全ての周波数に存在する放送番組の有無の状態を優先してスキャンする方式の動作経緯を示すものである。
【図１７】図１６に図示されるフローチャート乙に用いられる放送周波数情報記録部記録ルーチン乙を示すフローチャートである。
【図１８】図１６に図示されるフローチャート乙に用いられる次スキャン周波数決定ルーチン乙を示すフローチャートである。
【図１９】図１０に図示された放送受信装置において周波数スキャンを行った場合の放送周波数情報記録部の記録状態の第１例を示す説明図である。
【図２０】図１０に図示された放送受信装置において周波数スキャンを行った場合の放送周波数情報記録部の記録状態の第２例を示す説明図である。
【図２１】特開平１１−２３４０９２号に開示の放送受信装置であって、その要部構成を示すブロック図である。
【図２２】図２１に図示の放送受信装置において周波数スキャンを行う際の動作経緯を示すフローチャートである。
【符号の説明】
【０２２２】
１、１１Ａ、１１Ｂ  チューナ
２、１２Ａ、１２Ｂ  放送番組有無判断部
３、１３Ａ、１３Ｂ  放送番組復調部
４、１４Ａ、１４Ｂ  放送周波数情報抽出部
５、１５Ａ、１５Ｂ  放送番組情報抽出部
６、１６  チューナ制御部
７、１７  放送周波数情報記録部
８、１８  放送番組情報記録部
９、１９  入力部
１０Ａ、１０Ｂ  チューナブロック部
２０  信号分配部
【図１】
2005303526.tif 000003
【図２】
2005303526.tif 000004
【図３】
2005303526.tif 000005
【図４】
2005303526.tif 000006
【図５】
2005303526.tif 000007
【図６】
2005303526.tif 000008
【図７】
2005303526.tif 000009
【図８】
2005303526.tif 000010
【図９】
2005303526.tif 000011
【図１０】
2005303526.tif 000012
【図１１】
2005303526.tif 000013
【図１２】
2005303526.tif 000014
【図１３】
2005303526.tif 000015
【図１４】
2005303526.tif 000016
【図１５】
2005303526.tif 000017
【図１６】
2005303526.tif 000018
【図１７】
2005303526.tif 000019
【図１８】
2005303526.tif 000020
【図１９】
2005303526.tif 000021
【図２０】
2005303526.tif 000022
【図２１】
2005303526.tif 000023
【図２２】
2005303526.tif 000024